(57)【要約】【課題】液晶表示パネルにおけるγ特性の視角依存性を利用して、視野角を広くしたり狭くしたりすることができる液晶表示装置の表示制御方法を提供する。【解決手段】各階調レベルを、２つの階調レベル（ｎ１，ｎ２）の平均輝度で実現する。（広視野角処理）の曲線は、階調レベルの広範囲において、階調レベルが漸増すると平均輝度が漸増するように選定される。（狭視野角処理）の曲線は、階調レベルの広範囲において、傾き（接線の傾き）が小さくなるように選定される。広視野角処理を行うように設定されている場合には、画面の表示データを作成するときに、（広視野角処理）の曲線上の輝度を平均輝度で実現する（ｎ１，ｎ２）の組み合わせを選択する。また、狭視野角処理を行うように設定されている場合には、画面の表示データを作成するときに、（狭視野角処理）の曲線上の輝度を平均輝度で実現する（ｎ１’，ｎ２’）の組み合わせを選択する。【選択図】図７
2008275855.tif 000002
【特許請求の範囲】
【請求項１】
表示面を正面から視認したときのγ特性と斜め方向から視認したときのγ特性とが異なる液晶表示パネルを用いた液晶表示装置の表示制御方法であって、
各階調レベルｎ（ｎ：自然数）について、表示面を正面から視認したときの平均輝度が略同じであり、斜め方向から視認したときの平均輝度が異なるＮ個（Ｎ：２以上の正の整数）の階調レベルの組み合わせであって、最も低い階調レベルから最も高い階調レベルまでの間で、階調レベルが漸増すると平均輝度が漸増する階調レベルの組み合わせを選択し、
選択したＮ個の階調レベルの組み合わせの平均表示による画像を液晶表示パネルに表示させる
ことを特徴とする液晶表示装置の表示制御方法。
【請求項２】
表示面を正面から視認したときのγ特性と斜め方向から視認したときのγ特性とが異なる液晶表示パネルを用いた液晶表示装置の表示制御方法であって、
各階調レベルｎ（ｎ：自然数）について、表示面を正面から視認したときの平均輝度が略同じであり、斜め方向から視認したときの平均輝度が異なるＮ個（Ｎ：２以上の正の整数）の階調レベルの組み合わせであって、最も低い階調レベルから最も高い階調レベルまでの間における所定区間では、階調レベルが変化しても平均輝度が実質的に変化しない階調レベルの組み合わせを選択し、
選択したＮ個の階調レベルの組み合わせの平均表示による画像を液晶表示パネルに表示させる
ことを特徴とする液晶表示装置の表示制御方法。
【請求項３】
表示面を正面から視認したときのγ特性と斜め方向から視認したときのγ特性とが異なる液晶表示パネルを用いた液晶表示装置の表示制御方法であって、
各階調レベルｎ（ｎ：自然数）について、表示面を正面から視認したときの平均輝度が略同じであり、斜め方向から視認したときの平均輝度が異なる階調レベルｎ１，ｎ２（ｎ１，ｎ２：自然数）であって、最も低い階調レベルから最も高い階調レベルまでの間で、階調レベルが漸増すると平均輝度が漸増する階調レベルｎ１，ｎ２を選択し、
選択した階調レベルｎ１，ｎ２の平均表示による画像を液晶表示パネルに表示させる
ことを特徴とする液晶表示装置の表示制御方法。
【請求項４】
表示面を正面から視認したときのγ特性と斜め方向から視認したときのγ特性とが異なる液晶表示パネルを用いた液晶表示装置の表示制御方法であって、
各階調レベルｎ（ｎ：自然数）について、表示面を正面から視認したときの平均輝度が略同じであり、斜め方向から視認したときの平均輝度が異なる階調レベルｎ１’，ｎ２’（ｎ１’，ｎ２’：自然数）であって、最も低い階調レベルから最も高い階調レベルまでの間における所定区間では、階調レベルが変化しても平均輝度が実質的に変化しない階調レベルｎ１’，ｎ２’を選択し、
選択した階調レベルｎ１’，ｎ２’の平均表示による画像を液晶表示パネルに表示させる
ことを特徴とする液晶表示装置の表示制御方法。
【請求項５】
２つの階調レベルの平均表示を、２つの階調レベルの時間平均および／または空間平均によって実現する
請求項１から請求項４のうちのいずれか１項に記載の液晶表示装置の表示制御方法。
【発明の詳細な説明】
【技術分野】
【０００１】
本発明は、液晶表示装置の表示制御方法、およびその表示制御方法を用いた液晶表示装置に関し、特に、γ特性の視角依存性を利用した表示制御を行う液晶表示装置の表示制御方法に関する。
【背景技術】
【０００２】
液晶表示装置において、ＴＮ（Twisted Nematic ）モードの液晶を用いたＴＮ型液晶表示パネルが広く用いられている。
【０００３】
しかし、ＴＮ型液晶表示パネルには、視認者が表示面を斜め方向から視認すると、表示のコントラスト比が低下して視認されるという課題がある。すなわち、正面から視認した場合には階調差が明確に識別される画像を斜め方向から視認すると階調間の輝度差が不明瞭になる。また、階調特性が反転し、正面から暗く視認される部分を斜め方向から視認すると明るく視認される現象が発生することがある（例えば、特許文献１，２参照。）。
【０００４】
視角特性を改善した液晶表示パネルとして、ＩＰＳ（In-Plane Switching）モードやＭＶＡ（Multi-Domain Vertical Alignment ）モードの液晶表示パネルがある。それらの液晶表示パネルでは、表示面を斜め方向から視認したときのコントラスト比の低下や階調特性の反転現象が緩和されている。
【０００５】
【特許文献１】特開２００４−６２１４６号公報（段落０００４−０００６）
【特許文献２】特開平１０−３１９３７３号公報（段落０００２）
【発明の開示】
【発明が解決しようとする課題】
【０００６】
ＩＰＳモードの液晶表示パネルやＭＶＡモードの液晶表示パネルでは、斜め方向から視認したときのコントラスト比の低下や階調特性の反転現象は緩和されるが、特に、ＭＶＡモードの液晶表示パネルにおいて、表示面を正面から視認したときのγ特性と斜め方向から視認したときのγ特性とが異なるという視角特性（γ特性の視角依存性）の問題が残っている。γ特性の視角依存性とは、それぞれの階調において、表示面を視認する角度が異なると、表示面を正面から視認した場合の輝度に対して、視認される輝度（相対輝度）が変わることである。例えば、表示面を正面から視認すると表示内容を判別できた部分が、斜め方向から視認すると高い輝度で視認されて表示内容を判別できないという現象が生ずる。
【０００７】
図１４（Ａ）は、一般的なＩＰＳモードの液晶表示パネルの視角特性を示す説明図であり、図１４（Ｂ）は、一般的なＭＶＡモードの液晶表示パネルの視角特性を示す説明図である。図１４（Ａ），（Ｂ）において、横軸は階調レベルを示し、縦軸は相対輝度を示す。なお、液晶表示パネルは２５６階調表示可能であるとする。また、相対輝度は、表示可能な最大輝度を１とし最小輝度を０とした場合の輝度である。図１４（Ａ），（Ｂ）に記載されている角度（０°、３０°、４５°および６０°）は、表示面に対する法線からの視認方向の角度（視角）であり、法線から左または右に傾いた角度である。以下、表示面に対する法線に沿って表示面を視認する場合を「表示面を正面から視認する」と表現することがある。
【０００８】
図１４（Ａ）に示すように、ＩＰＳモードの液晶表示パネルでは、それぞれの階調レベルにおいて、視角が変化しても輝度はほぼ同じである。また、図１４（Ｂ）に示すように、ＭＶＡモードの液晶表示パネルでは、視角が大きくなるのに従って、輝度は高くなる。図１４（Ｂ）に示すように、ＭＶＡモードの液晶表示パネルでは、表示面を正面から視認したときのγ特性と斜め方向から視認したときのγ特性とが異なっている。
【０００９】
なお、γ特性の視角依存性の問題は、ＭＶＡモードの液晶表示パネルだけでなく、ＴＮ型液晶表示パネル等の他の方式による液晶表示パネルにも存在する。
【００１０】
γ特性の視角依存性を改善するために種々の提案がなされている（例えば、上記の特許文献１参照。）。
【００１１】
また、ＴＮ型液晶表示パネルにおける視角依存性を利用して、特殊な表示状態を実現するための提案もなされている（例えば、上記の特許文献２参照。）。例えば、特許文献２には、視野角を広くしたり狭くしたりすることができる液晶表示装置が記載されている。なお、特許文献２において、視野角を広くするということは、表示面に対する法線からの視認方向の角度が大きくなっても、コントラスト比が高い値に保たれるようにすることである。また、視野角を狭くするということは、視角がある程度以上になると、コントラスト比を極端に低下させるようにすることである。
【００１２】
しかし、γ特性の視角依存性（それぞれの階調において視角が異なると視認される輝度が変わるという特性）を利用して特殊な表示状態を実現することは、特許文献１，２には記載されていない。特許文献１，２には、ＴＮ型液晶表示パネルにおけるコントラスト比の視角依存性を利用しているにすぎない。
【００１３】
本発明は、液晶表示パネルにおけるγ特性の視角依存性を利用して、視野角を広くしたり狭くしたりすることができる液晶表示装置の表示制御方法を提供することを目的とする。
【００１４】
なお、以下の説明において、視野角を広くするということは、表示面に対する法線からの視認方向の角度が大きくなっても、階調差が判別できるようにすることである。また、視野角を狭くするということは、表示面に対する法線からの視認方向の角度がある程度以上になると、階調差を判別できなくなるようにすることである。
【課題を解決するための手段】
【００１５】
まず、本発明による液晶表示装置の表示制御方法の基礎になる液晶表示パネルの特性を説明する。図１（Ａ）は、ＭＶＡモードの液晶表示パネルにおける各階調レベルの輝度の視角依存性の一例を示す説明図である。図１（Ａ）において、横軸は、表示面に対する法線からの傾き（視角）であり、法線から左または右に傾いた角度θである。角度θの正値は右側への傾きに対応し、角度θの負値は左側への傾きに対応している。縦軸は、Ｉ（２５５，０）（表示面を正面から視認した場合の階調レベル２５５の画像の輝度）に対する輝度Ｉ（ｎ，θ）、すなわち相対輝度［Ｉ（ｎ，θ）／Ｉ（２５５，０）］を示す。ｎは階調レベルを示す。図１（Ｂ）は、それぞれの階調レベルの種々の角度（視角）θにおける階調レベル２５５（最も輝度が高いレベル）に対する輝度Ｉ（ｎ，θ）、すなわち相対輝度（輝度比）［Ｉ（ｎ，θ）／Ｉ（２５５，θ）］を示す。以下、相対輝度を、単に「輝度」という。
【００１６】
図１（Ｂ）に示すように、各階調レベルにおいて視角の絶対値が小さい（０°に近い）場合には輝度は低く視認されるが、視角の絶対値が大きくなると輝度は高く視認される。しかも、輝度が高く視認される角度範囲（視野）は比較的広い。以下、輝度が低く（または高く）視認されることを、単に、輝度が低い（または高い）という。また、視角の絶対値が小さい場合の２つの階調レベルに関する輝度の差は、視角の絶対値が大きい場合の輝度の差とは異なっている。例えば、  図１（Ｂ）に示す例では、視角θが０°である場合の階調レベル１６０の輝度（約０．４）と階調レベル６４の輝度（約０．１）との差は０．３であるのに対して、視角θが３０°である場合には、階調レベル１６０の輝度（約０．６）と階調レベル６４の輝度（約０．２５）との差は０．３５である。また、視角θが５０°である場合には、階調レベル１６０の輝度（約０．９）と階調レベル６４の輝度（約０．５）との差は０．４である。
【００１７】
また、４つの階調レベルに着目すると、視角θが０°である場合に、２つの階調レベルの輝度の平均値Ａが、他の２つの階調レベルの輝度の平均値Ｂと同じであっても、視角が大きくなると（斜め視点では）、２つの階調レベルの輝度の平均値Ａは、他の２つの階調レベルの輝度の平均値Ｂと同じにならない。例えば、視角θが０°である場合には、階調レベル１２８の輝度（階調レベル１２８と階調レベル１２８との平均値に相当：０．２５とする。）と、階調レベル１６０の輝度（約０．４）と階調レベル６４の輝度（約０．１）の平均値はほぼ等しいが、視角θが５０°である場合には、階調レベル１２８の輝度（約０．７５）は、階調レベル１６０の輝度（約０．９）と階調レベル６４の輝度（約０．５）の平均値（約０．７）とは異なる。以下、２つの階調レベルの輝度の平均値を平均輝度という。
【００１８】
図２は、斜め視点では平均値Ａと平均値Ｂとが同じにならないことを説明するための説明図である。図２（Ａ）に示すように、視角θが０°である場合に、階調レベル１６０の輝度（２つの階調レベルがともに１６０であった場合の平均値Ａに相当）が、階調レベル０の輝度と階調レベル２２４の輝度の平均値Ｂと同じであるが、視角θが５０°である場合には、平均値Ａは平均値Ｂよりも大きくなっている。図２（Ａ）において、矢印は、視角θが５０°である場合の平均値Ａと平均値Ｂとの差を示す。なお、図２に例示された階調レベル０，１６０，２２４は一例である。また、図２（Ａ）に記載されている「１階調表示」は、階調レベル１６０の輝度表示に相当し、「２階調平均表示」は、階調レベル０の輝度と階調レベル２２４の輝度との平均輝度表示に相当する。
【００１９】
図２（Ｂ），（Ｃ）には、液晶表示パネルにおける隣接する４つの領域が、階調レベル１６０または階調レベル（０＋２２４）／２であった場合に視認される輝度の様子が示されている。（０＋２２４）／２は、輝度が、階調レベル０の輝度と階調レベル２２４の平均輝度であることを示す。なお、階調レベル０の輝度と階調レベル２２４の平均輝度は、後述するように、例えば階調レベルを時間平均または空間平均することによって実現される。
【００２０】
図２（Ｂ）には、視角θが０°である場合に視認される輝度の様子が示され、図２（Ｃ）には、視角θが５０°である場合に視認される輝度の様子が示されている。図２（Ｂ）に示すように、視角θが０°である場合には輝度差は視認されないが、図２（Ｃ）に示すように、視角θが５０°である場合には輝度差は視認される。
【００２１】
本発明による液晶表示装置の表示制御方法は、上述したような、表示画面を正面から観察した場合には平均値Ａと平均値Ｂとがほぼ同じであっても、斜め視点では平均値Ａと平均値Ｂとが同じにならないことを利用して特殊な表示を実現する。
【００２２】
階調レベルｎと輝度Ｉとの関係は、（１）式で表されるγ特性になる。
Ｉ（ｎ，γ）＝（ｎ／２５５）＾γ                              ・・・（１）
【００２３】
ただし、好ましくは、液晶表示パネルの固有のγ特性に従う。（１）式において、Ｉ（ｎ，γ）は階調レベルｎにおける輝度であり、γは一般に２．２である。「＾」は累乗の指数を示す。なお、輝度Ｉ（ｎ，γ）は、視角θが０°である場合の輝度である。
【００２４】
階調レベルがｎであるときの輝度Ｉ（ｎ，γ）に対して、（２）式を満足するｎ１，ｎ２を選択することによって、視角θが０°であるときの、階調レベルｎ１と階調レベルｎ２の平均輝度は、階調レベルがｎの輝度と等しくなる。
【００２５】
Ｉ（ｎ，γ）＝［Ｉ（ｎ１，γ）＋Ｉ（ｎ２，γ）］／２          ・・・（２）
【００２６】
上述したように、視角θが０°であるときに（２）式を満足しても、ＭＶＡモードの液晶表示パネルを使用する場合には、斜め視点では平均値Ａ（２つの階調レベルがともにｎであった場合の平均値に相当）と平均値Ｂ（階調レベルｎ１の輝度と階調レベルｎ２の輝度の平均値に相当）とが同じにならない。よって、液晶表示パネルが、階調レベルｎで表示を行う場合と、階調レベルｎ１の輝度と階調レベルｎ２の輝度の平均値の輝度の表示を行う場合とで、視角が０°に対して大きくなったときに視認される輝度は同じにならない。
【００２７】
図３は、視角が０°の場合に平均輝度が同じであって斜め視点では平均輝度が異なる階調レベルｎ１，ｎ２の集合を示す説明図である。図３の説明図に示すように、階調レベルｎに対して、（２）式を満足するｎ１，ｎ２の組み合わせは多数存在する。図３において、Ｓが付された数字が示す円弧は、その数字が示す階調レベルに対する（ｎ１，ｎ２）の組み合わせが存在する位置を示す。つまり、（ｎ１，ｎ２）の組み合わせは、円弧上に存在する。具体的には、（３）式を満足する（ｎ１，ｎ２）の集合Ｓｎは、図３における円弧上に存在する（ｎ１，ｎ２）の組み合わせである。
【００２８】
Ｓｎ＝｛ｎ１，ｎ２｜Ｉ（ｎ，γ）＝［Ｉ（ｎ１，γ）＋Ｉ（ｎ２，γ）］／２｝                                                        ・・・（３）
【００２９】
（３）式は、｜の右側の条件を満足する（ｎ１，ｎ２）の組み合わせの全てを示す。なお、ｎは離散的な値（例えば、０〜２５５のいずれかの整数）であるから、集合Ｓｎを、例えば、（４）式で示すように条件に余裕を持たせることが好ましい。
【００３０】
Ｓｎ＝｛ｎ１，ｎ２｜Ｉ（ｎ−０．５，γ）＜［Ｉ（ｎ１，γ）＋Ｉ（ｎ２，γ）］／２＜Ｉ（ｎ＋０．５，γ）｝                              ・・・（４）
【００３１】
視角が０°に対して大きくなったときに、集合Ｓｎに属する多数の（ｎ１，ｎ２）の組み合わせのそれぞれによる輝度（輝度の平均値すなわち平均輝度）は、階調レベルｎの輝度とは異なる上に、互いに異なる。図１（Ａ）に示されたように、ある視角における各階調レベルの輝度は異なっているからである。
【００３２】
図１（Ａ）に示された特性にもとづいて、視角が０°に対して大きくなったときの階調レベルｎ１，ｎ２の輝度を導出することができる。従って、階調レベルｎ１，ｎ２の平均輝度を導出することができる。一例として、視角が６０°の場合の階調レベルｎに対する集合Ｓｎに属するそれぞれの（ｎ１，ｎ２）の組み合わせの平均輝度を図４に示す。図４において、横軸は階調レベルｎを示し、縦軸は輝度を示す。なお、図４には、γ＝２．２である場合の視角θが０°であるときの輝度を示す曲線も示されている。
【００３３】
図４において、斜線が施された領域は、視角が０°であるときには平均輝度が同じである場合、視角が６０°であるときに選択可能な輝度の領域を示す。図４において、（下限）として示されている曲線は、それぞれの階調レベルｎ（ｎ＝０〜２５５）に対する（ｎ１，ｎ２）の組み合わせの平均輝度のうち、最も低い値を示す。（上限）として示されている曲線は、それぞれの階調レベルｎ（ｎ＝０〜２５５）に対する（ｎ１，ｎ２）の組み合わせの平均輝度のうち、最も高い値を示す。なお、（通常ｎ表示）は、視角が６０°の場合の階調レベルｎの輝度を示す。図４では、（通常ｎ表示）は、（上限）に一致している。ただし、一般的には、（通常ｎ表示）と（上限）とは一致しない。
【００３４】
例えば、階調レベルｎが１００である場合、（下限）は約０．５であり、（上限）は、（通常ｎ表示）の場合と同じで、ほぼ０．８である。このことは、視角が０°である場合には平均輝度が同じになる（ｎ１，ｎ２）の組み合わせを２つ選択したときに、視角が６０°である場合には、０．４（＝０．８−０，４）の範囲内で、視認される輝度に差を付けることができることを示す。
【００３５】
なお、視角が０°である場合には、（通常ｎ表示）を示す曲線（特性）と、（下限）を示す曲線および（上限）を示す曲線とは一致する。
【００３６】
階調レベルｎが１００である場合に限らず、他の階調レベルｎについても、同様に、視角が０°である場合には平均輝度が同じになる２つの（ｎ１，ｎ２）の組み合わせを選択したときに、視角が６０°である場合には、視認される輝度に差を付けることができる。つまり、図４には視角が６０°である場合が例示されているが、他の視角でも、斜線内の領域の形状は異なるが、図４において斜線が施された領域と同じような領域がある。
【００３７】
図５は、視角θが０°であるときに（２）式を満足する（ｎ１，ｎ２）の組み合わせと（ｎ１’，ｎ２’）の組み合わせの輝度、および階調レベルｎの輝度であって、斜め視点での輝度の例を示す説明図である。一例として、階調レベルｎは１８６である。階調レベルｎ１は８０であり、階調レベルｎ２は２４６であり、階調レベルｎ１’は０であり、階調レベルｎ２’は２５５であるとする。図５（Ａ）は、階調レベルｎの２画素を示し、図５（Ｂ）は、階調レベルｎ１の画素と階調レベルｎ２の画素とを示し、図５（Ｃ）は、階調レベルｎ１’の画素と階調レベルｎ２’の画素とを示す。また、図５において、斜線の密度の違いは、輝度が異なっていることを示す。
【００３８】
なお、（ｎ１，ｎ２）の組み合わせと（ｎ１’，ｎ２’）の組み合わせとは、図３における同一円弧上に存在する組み合わせである。そして、斜め視点では、階調レベルｎの輝度と、階調レベルｎ１と階調レベルｎ２の平均輝度と、階調レベルｎ１’と階調レベルｎ２’の平均輝度とは互いに異なっている。
【００３９】
本発明による第１の態様の液晶表示装置の表示制御方法は、以上に説明したような表示面を正面から視認したときのγ特性と斜め方向から視認したときのγ特性とが異なる液晶表示パネルを用いた液晶表示装置の表示制御方法であって、各階調レベルｎ（ｎ：自然数）について、表示面を正面から視認したときの平均輝度が略同じ（観察者に同輝度と視認される程度の差を許容した同程度）であり、斜め方向（例えば、表示面に対する法線からの視認方向の角度が６０゜）から視認したときの平均輝度が異なるＮ個（Ｎ：２以上の正の整数）の階調レベルの組み合わせであって、最も低い階調レベルから最も高い階調レベルまでの間（実際に表示に用いられる最低レベルから最高レベルまでの間）で、階調レベルが漸増すると平均輝度が漸増する階調レベルの組み合わせを選択し、選択したＮ個の階調レベルの組み合わせの平均表示による画像を液晶表示パネルに表示させることを特徴とする。そのように制御することによって、広視野角表示が実現される。
【００４０】
本発明による第２の態様の液晶表示装置の表示制御方法は、各階調レベルｎ（ｎ：自然数）について、表示面を正面から視認したときの平均輝度が略同じであり、斜め方向から視認したときの平均輝度が異なるＮ個（Ｎ：２以上の正の整数）の階調レベルの組み合わせであって、最も低い階調レベルから最も高い階調レベルまでの間における所定区間では、階調レベルが変化しても平均輝度が実質的に変化しない階調レベルの組み合わせを選択し、選択したＮ個の階調レベルの組み合わせの平均表示による画像を液晶表示パネルに表示させることを特徴とする。そのように制御することによって、狭視野角表示が実現される。
【００４１】
本発明による第３の態様の液晶表示装置の表示制御方法は、各階調レベルｎ（ｎ：自然数）について、表示面を正面から視認したときの平均輝度が略同じであり、斜め方向から視認したときの平均輝度が異なる階調レベルｎ１，ｎ２（ｎ１，ｎ２：自然数）であって、最も低い階調レベルから最も高い階調レベルまでの間で、階調レベルが漸増すると平均輝度が漸増する階調レベルｎ１，ｎ２を選択し、選択した階調レベルｎ１，ｎ２の平均表示による画像を液晶表示パネルに表示させることを特徴とする。そのように制御することによって、広視野角表示が実現される。
【００４２】
本発明による第４の態様の液晶表示装置の表示制御方法は、表示面を正面から視認したときのγ特性と斜め方向から視認したときのγ特性とが異なる液晶表示パネルを用いた液晶表示装置の表示制御方法であって、各階調レベルｎ（ｎ：自然数）について、表示面を正面から視認したときの平均輝度が略同じであり、斜め方向から視認したときの平均輝度が異なる階調レベルｎ１’，ｎ２’（ｎ１’，ｎ２’：自然数）であって、最も低い階調レベルから最も高い階調レベルまでの間における所定区間では、階調レベルが変化しても平均輝度が実質的に変化しない階調レベルｎ１’，ｎ２’を選択し、選択した階調レベルｎ１’，ｎ２’の平均表示による画像を液晶表示パネルに表示させることを特徴とする。そのように制御することによって、狭視野角表示が実現される。
【００４３】
階調レベル（Ｎ個や（ｎ１，ｎ２））の平均表示を、例えば、時間平均および／または空間平均（時間平均、空間平均、または時間平均と空間平均との併用）によって実現する。
【発明の効果】
【００４４】
本発明によれば、液晶表示パネルにおけるγ特性の視角依存性を利用して、視野角を広くしたり狭くしたりすることができる。
【発明を実施するための最良の形態】
【００４５】
以下、本発明の実施の形態を図面を参照して説明する。
【００４６】
本発明では、図２（Ａ）に示されたように、視角０°では２つの階調レベルの輝度の平均値Ａが他の２つの階調レベルの輝度の平均値Ｂと同じであっても、視角が大きくなると（斜め視点では）、２つの階調レベルの輝度の平均値Ａは他の２つの階調レベルの輝度の平均値Ｂと同じにならないことを利用して、より具体的には、図４において斜線が施された領域が存在することを利用して、視野角を広くしたり視野角を狭くしたりする。すなわち、実質的に、視野角を広くしたり視野角を狭くしたりするようにγ曲線（γ特性を表す曲線）の傾きを変化させる。なお、本実施の形態では、ＭＶＡモードの液晶表示パネルを使用することを想定するが、図２（Ａ）に示されたような特性を有していれば、ＭＶＡモード以外のモードの液晶表示パネルを使用することができる。
【００４７】
図６は、ＭＶＡモードの液晶表示パネル（ＭＶＡ  Ｄｉｓｐｌａｙ）において、視角が異なるとγ特性が異なることを示す説明図である。図６において、横軸は階調レベルｎを示し、縦軸は輝度を示す。なお、図６には、２つの階調レベルの平均輝度ではなく、１つの階調レベルｎの輝度が示されている。また、図４には、γ＝２．２である場合の視角θが０°であるときの輝度を示す曲線も示されている。図６に示すように、例えば、視角６０゜のγ特性における輝度に対して、視角４５゜のγ特性における輝度は低下する（図６における矢印参照）。また、視角３０゜のγ特性における輝度はさらに低下する。
【００４８】
図４には、視角が６０°の場合の階調レベルｎに対する集合Ｓｎに属するそれぞれの（ｎ１，ｎ２）の組み合わせの平均輝度が示され、斜線が施された領域は、視角が０°であるときには平均輝度が同じである場合、視角が６０°であるときに選択可能な輝度の領域であった。例えば、階調レベル１００を実現する（ｎ１，ｎ２）の組み合わせによる平均輝度の最大値は、ほぼ０．８である。また、階調レベル１００を実現する（ｎ１，ｎ２）の組み合わせによる平均輝度の最小値は、ほぼ０．５である。
【００４９】
図７は、本実施の形態の液晶表示装置の表示制御方法において用いる（ｎ１，ｎ２）の組み合わせを示す説明図である。図７には、図４の場合と同様に、視角が６０°の場合の（ｎ１，ｎ２）の組み合わせの平均輝度が示されている。図７において、横軸は階調レベルｎを示し、縦軸は輝度を示す。
【００５０】
図７における（処理限界）は、図４における（下限）と同じことである。また、（通常６０゜視点）は、図４における（通常ｎ表示）と同じことであり、視角が６０°の場合の階調レベルｎの輝度を示す。
【００５１】
（広視野角処理）として示される曲線上に、視野角を広くしたい場合に選択される（ｎ１，ｎ２）の組み合わせがあり、（狭視野角処理）として示される曲線上に、視野角を狭くしたい場合に選択される（ｎ１，ｎ２）の組み合わせがある。
【００５２】
（広視野角処理）の曲線は、図４に示す斜線が施された領域内で、階調レベルの広範囲において、階調レベルが異なると輝度変化があるように選定される。すなわち、階調レベルが漸増すると平均輝度が漸増するように選定される。
【００５３】
（狭視野角処理）の曲線は、図４に示す斜線が施された領域内で、階調レベルの広範囲において、傾き（接線の傾き）が小さくなるように選定される。すなわち、できるだけ広い範囲において、階調レベルが異なっても輝度変化が小さくなるように選定される。換言すれば、最も低い階調レベルから最も高い階調レベルまでの間における所定区間では、階調レベルが変化しても平均輝度が実質的に変化しないように選定される。
【００５４】
（広視野角処理）の曲線上にある（ｎ１，ｎ２）の組み合わせは、階調レベルが異なると常に輝度変化があるように選択されることになるので、視角が６０°の場合でも、観察者に輝度の違いが視認される。すなわち、観察者は、表示画像を判別できる。なお、視角が６０゜から０゜に近づくにつれて、一般に観察者は輝度の違いをより容易に視認できる。また、（狭視野角処理）の曲線上にある（ｎ１，ｎ２）の組み合わせは、階調レベルが異なっても輝度変化が小さくなるように選択されることになるので、視角が６０°の場合には、観察者に輝度の違いが視認されづらい。すなわち、観察者は、表示画像を判別しづらい。
【００５５】
すると、視角が大きい場合でも、図４に示す斜線が施された領域内で、階調レベルの広範囲において、階調レベルが異なると輝度変化があるように選定すれば、すなわち、階調レベルの広範囲において、傾きが０でない曲線（例えば、傾きがある略直線）を（広視野角処理）の曲線として選定すれば、０゜から少なくともその視角まで、観察者は表示画像を判別できるようになる。つまり、広視野角になる。
【００５６】
また、視角が大きい場合に、図４に示す斜線が施された領域内で、階調レベルの広範囲において傾きが小さくなるように選定すれば、すなわち、階調レベルの広範囲において傾きが０に近い曲線（例えば、傾き０の略直線）を（狭視野角処理）の曲線として選定すれば、少なくともその視角付近の視角において、観察者は表示画像を判別することが不能になる。実際には、その視角になる前に（その視角よりも小さい視角において）、表示画像を判別することが不能になる。つまり、狭視野角になる。
【００５７】
以下、（広視野角処理）の曲線上にある階調レベルの組み合わせを（ｎ１，ｎ２）とし、（狭視野角処理）の曲線上にある階調レベルの組み合わせを（ｎ１’，ｎ２’）とする。広視野角処理を行うように設定されている場合には、画面の表示データを作成するときに、（広視野角処理）の曲線上の輝度を平均輝度で実現する（ｎ１，ｎ２）の組み合わせを選択する。また、狭視野角処理を行うように設定されている場合には、画面の表示データを作成するときに、（狭視野角処理）の曲線上の輝度を平均輝度で実現する（ｎ１’，ｎ２’）の組み合わせを選択する。
【００５８】
以上のように、本実施の形態では、視角が０°であるときには平均輝度が同じである（ｎ１，ｎ２）の組み合わせが多数あり、視角が大きくなると、それらの組み合わせのそれぞれの平均輝度が異なることを利用して、液晶表示パネルの視野を広くしたり狭くしたりすることができる。
【００５９】
なお、本実施の形態では、液晶表示パネルに白黒表示を行うことを想定しているが、Ｒ（赤）、Ｇ（緑）、Ｂ（青）のそれぞれのγ特性は完全には一致しないので、カラー画像を対象にして表示制御を行う場合には、Ｒ、Ｇ、Ｂそれぞれのγ特性を対象にして、本実施の形態の表示制御を行うことが好ましい。
【００６０】
詳しくは、ＲＧＢでの正面視でのＲＧＢのγ特性はそれぞれの色で異なるので、（ｎ１，ｎ２）の組み合わせを選ぶ際に、つまり集合Ｓｎの要素を選ぶ際に、正面視でのカラー画像の見栄えを補償するために、Ｒ、Ｇ、Ｂそれぞれのγ特性を考慮することが好ましい。すなわち、Ｒ、Ｇ、Ｂ別に（４）式を満たす（ｎ１，ｎ２）の組み合わせを選ぶ。Ｒ、Ｇ、Ｂそれぞれのγ特性を考慮して集合Ｓｎの要素を選ぶことによって、正面視でのカラー画像の見栄えを大幅に改善できる。また、視野角制御の効果を最大にするために、集合Ｓｎの中から、輝度が最大の組み合わせ（ｎ１，ｎ２）と、輝度が最小の組み合わせ（ｎ１’，ｎ２’）を選ぶ際に、Ｒ、Ｇ、Ｂそれぞれのγ特性を考慮することが好ましい。
【００６１】
また、本実施の形態では、２つの階調レベル（ｎ１またはｎ１’とｎ２またはｎ２’）の平均輝度を用いるが、３つ以上の階調レベルの平均輝度を用いてもよい。
【実施例】
【００６２】
以下、上記の各実施の形態の液晶表示装置の表示制御方法を実現するための実施例を説明する。
【００６３】
図８は、液晶表示装置の一例をＭＰＵ（Micro Processing Unit）４０とともに示すブロック図である。図８に示す例では、ＴＦＴ（Thin Film Transistor）がマトリクス状に配され、画素電極とコモン電極との間にＭＶＡモードの液晶が挟持された液晶表示パネル１０が用いられている。液晶表示パネル１０を駆動する駆動回路には、液晶表示パネル１０における同列のＴＦＴのソースに接続されるデータ電極としての各ソース電極（ソース配線）が繋がれたソースドライバ（データ電極ドライバ）１２、液晶表示パネル１０における同行のＴＦＴのゲートに接続される走査電極としての各ゲート電極（ゲート配線）が繋がれたゲートドライバ（走査電極ドライバ）１３、データ電圧を作成するための電圧をソースドライバ１２に供給するとともに、選択電圧（オン電圧）と非選択電圧（オフ電圧）とを作成するための電圧をゲートドライバ１３に供給する電源回路１４が設けられている。
【００６４】
制御回路としてのコントローラ１１は、駆動回路の外部に設けられているＭＰＵから入力される表示データ（画素データ）を一時記憶するＲＡＭ１１１を有し、ソースドライバ１２およびゲートドライバ１３に、フレームの開始を示す信号に相当するＶＳＹＮＣ（垂直同期）信号を出力するとともに、各選択期間（１本のゲート配線にオン電圧としての選択電圧が印加される期間）毎に、ＬＰ（Latch Pulse ）信号を出力する。
【００６５】
ゲートドライバ１３は、カウンタを内蔵し、ＶＳＹＮＣ信号が入力されるとカウンタをリセットし、ＬＰ信号が入力されるとカウンタの値を＋１する。そして、カウンタの値が示すゲート配線にＴＦＴのゲートを導通状態にさせるための選択電圧を印加し、他のゲート配線にＴＦＴのゲートを遮断状態にさせるための非選択電圧を印加する。また、ゲートドライバ１３に内蔵されているコモン電圧出力部１３１は、コモン配線にコモン電圧を印加する。
【００６６】
ソースドライバ１２は、ＬＰ信号が入力されると、データ信号をラッチするとともに、ラッチしているデータ信号に応じたデータ電圧をソース配線に印加する。ゲートドライバ１３はＬＰ信号に同期してゲート配線に選択電圧を印加するので、ソースドライバ１２は、ゲート配線への選択電圧の印加に同期して各ソース配線にデータ電圧を印加することになる。
【００６７】
ＭＰＵ４０は、広視野角処理を行うように設定されている場合に、画面の表示データを作成するときに、例えば、図７における（広視野角処理）の曲線上の輝度を平均輝度で実現する（ｎ１，ｎ２）の組み合わせを選択する。なお、（ｎ１，ｎ２）の組み合わせは、階調レベル毎に選択される。また、実際には、（広視野角処理）の曲線上の輝度を平均輝度で実現する（ｎ１，ｎ２）の組み合わせは、例えばＲＯＭのデータテーブルに設定されている。ＭＰＵ４０は、使用する階調レベルに応じた（ｎ１，ｎ２）の組み合わせをデータテーブルから読み出す。
【００６８】
また、ＭＰＵ４０は、狭視野角処理を行うように設定されている場合に、画面の表示データを作成するときに、例えば、図７における（狭視野角処理）の曲線上の輝度を平均輝度で実現する（ｎ１’，ｎ２’）の組み合わせを選択する。なお、（ｎ１’，ｎ２’）の組み合わせは、階調レベル毎に選択される。また、実際には、（狭視野角処理）の曲線上の輝度を平均輝度で実現する（ｎ１’，ｎ２’）の組み合わせは、例えばＲＯＭのデータテーブルに設定されている。ＭＰＵ４０は、使用する階調レベルに応じた（ｎ１’，ｎ２’）の組み合わせをデータテーブルから読み出す。
【００６９】
また、ＭＰＵ４０が通常の元画像を送信して、さらに広視野角処理をするか、狭視野角処理をするか、元画像のまま表示するかを命令して、その命令を受け取った制御回路が（ｎ１，ｎ２）を選択するようにしてもよい。
【００７０】
そして、作成した表示データすなわち各画素の階調レベルを示すデータを、液晶表示装置に出力する。液晶表示装置において、コントローラ１１は、表示データをＲＡＭ１１１に一時記憶する。コントローラ１１は、ＲＡＭ１１１に記憶されている表示データをソースドライバ１２に出力する。
【００７１】
次に、平均輝度を得るための平均表示の実現方法を説明する。まず、時間平均によって平均輝度を実現する方法を説明する。図９は、２つの階調レベルによる平均輝度を実現するための方法を説明するための説明図である。図９（Ａ），（Ｂ）における各々の正方形はそれぞれ画素を示す。図９（Ａ），（Ｂ）において、小文字アルファベットａ〜ｐが同じ画素は同一画素を示す。画素中の「１」の数字は第１フレームにおける表示を示し、「２」の数字は第２フレームにおける表示を示す。また、「２」の数字が付されている画素の階調レベルは、「１」の数字が付されている画素の階調レベルよりも高いとする。例えば、ａ１で示される画素の階調レベルよりもａ２で示される画素の階調レベルの方がレベルが高い。なお、図９における斜線は、第１フレームにおける輝度と第２フレームにおける輝度とが異なっていることを示す。
【００７２】
図９（Ａ）に示す表示と図９（Ｂ）に示す表示とを１フレーム毎に交互に表示すると、「１」の数字が付されている画素の階調レベルによる輝度と「２」の数字が付されている画素の階調レベルによる輝度の平均輝度が視認される。よって、図９（Ｃ）における大文字アルファベットで示される各画素は、「１」の数字が付されている小文字アルファベットの画素の階調レベルによる輝度と「１」の数字が付されているアルファベットと同じアルファベットで「２」の数字が付されている画素の階調レベルによる輝度との平均輝度で視認される。
【００７３】
従って、大文字アルファベットＡ〜Ｐは、それぞれ画素の任意の階調レベル０〜２５５を表す自然数を示す。また、（ａ１〜ｐ１，ａ２〜ｐ２）は上記の（ｎ１，ｎ２）に相当する。例えば、（ａ１，ａ２）は、階調レベルＡを平均で表示するために選択する２つの階調レベルを表す。詳しくは、下記の式を満たす関係にある。
【００７４】
Ｉ（Ａ，γ）＝［Ｉ（ａ１，γ）＋Ｉ（ａ２，γ）］／２      （ａ１≦ａ２）
【００７５】
なお、図９に示す例では、画素Ａ〜Ｐの階調レベルはそれぞれ異なる。従って、１６種類の平均輝度が視認される表示が実現されている。ある階調レベルｎの平均輝度を実現する場合、例えば、図９に示す画素ａ１の階調レベルが上記のｎ１またはｎ１’に対応し、画素ａ２の階調レベルが上記のｎ２またはｎ２’に対応する。ＭＰＵ４０は、図９に示されたような方式によって、２つの階調レベルの平均輝度を実現することができる。
【００７６】
３つ以上の階調レベルの平均輝度を用いる場合にも、輝度が平均される階調レベルの数に応じた連続するフレームにおいて、それぞれの階調レベルによる表示を行う。図１０は、４つの階調レベルによる平均輝度を実現するための方法を説明するための説明図である。図１０（Ａ）〜（Ｄ）における各々の正方形はそれぞれ画素を示す。図１０（Ａ）〜（Ｄ）において、小文字アルファベットａ〜ｐが同じ画素は同一画素を示す。画素中の数字は、その数字が示すフレームにおける表示を示す。各画素において、異なるフレームにおける階調レベルは異なっている。例えば、（ａ１で示される画素の階調レベル）≦（ａ２で示される画素の階調レベル）≦（ａ３で示される画素の階調レベル）≦（ａ４で示される画素の階調レベル）である。
【００７７】
従って、下式を満たすような組み合わせを選ぶ。
Ｉ（Ａ，γ）＝［Ｉ（ａ１，γ）＋Ｉ（ａ２，γ）＋Ｉ（ａ３，γ）＋Ｉ（ａ４，γ）］／４      （ａ１≦ａ２≦ａ３≦ａ４）
【００７８】
図１０（Ａ）に示す表示〜図１０（Ｄ）に示す表示を順に表示すると、「１」の数字が付されている画素の階調レベルによる輝度と、「２」の数字が付されている画素の階調レベルによる輝度と、「３」の数字が付されている画素の階調レベルによる輝度と、「４」の数字が付されている画素の階調レベルによる輝度との平均輝度が視認される。
【００７９】
なお、図１０に示す例では、１６画素の階調レベルはそれぞれ異なる。従って、１６種類の平均輝度が視認される表示が実現されている。しかし、例えば、ある階調レベルｎの平均輝度をｎ１，ｎ２，ｎ３，ｎ４の階調レベルによる輝度の平均値で実現する場合、画素ａ１の階調レベルがｎ１に対応し、画素ａ２の階調レベルがｎ２に対応し、画素ａ３の階調レベルがｎ３に対応し、画素ａ４の階調レベルがｎ４に対応する。また、ＭＰＵ４０は、図１０に示されたような方式によって平均輝度を実現することができる。
【００８０】
次に、空間平均によって平均輝度を実現する方法を説明する。図１１は、２つの階調レベルによる平均輝度を実現するための方法を説明するための説明図である。図１１（Ａ），（Ｂ）における各々の正方形はそれぞれ画素を示す。図１１（Ａ）における大文字アルファベットＡ〜Ｐで示されるそれぞれの画素は、図１１（Ｂ）における小文字アルファベットａ〜ｐで示されるそれぞれの画素と同一の画素である。
【００８１】
図１１（Ａ）に示す１６画素が表示したい画像（元画像）の画素であるとする。ＭＰＵ４０は、表示させたい画像の階調レベルを、図１１（Ｂ）において、「１」の数字が付された画素（ａ１，ｃ１，ｆ１，ｈ１，ｉ１，ｋ１，ｎ１，ｐ１）に低い階調レベルを割り当て、「２」の数字が付された画素（ｂ２，ｄ２，ｅ２，ｇ２，ｊ２，ｌ２，ｍ２，ｏ２）に高い階調レベルを割り当てることによって実現する。「１」の数字が付された画素と「２」の数字が付された画素とは、空間的に交互に配置されている。
【００８２】
なお、「１」の数字が付された画素ａ１〜ｐ１の階調レベル（階調レベルは全て同じ）が上記のｎ１またはｎ１’に対応し、「２」の数字が付された画素ｂ２〜ｏ２の階調レベル（階調レベルは全て同じ）が上記のｎ２またはｎ２’に対応する。また、ＭＰＵ４０は、図１１に示されたような方式によって平均輝度を実現することができる。
【００８３】
図１２は、４つの階調レベルによる平均輝度を実現するための方法を説明するための説明図である。図１２における正方形はそれぞれ画素を示す。ＭＰＵ４０は、表示させたい画像の階調レベルを、図１２において、「１」の数字が付された画素ａ１，ｃ１，ｉ１，ｋ１に最も低い階調レベルを割り当て、「２」の数字が付された画素ｆ２，ｈ２，ｎ２，ｐ２に２番目に低い階調レベルを割り当て、「３」の数字が付された画素ｅ３，ｇ３，ｍ３，ｏ３に２番目に高い階調レベルを割り当て、「４」の数字が付された画素ｂ４，ｄ４，ｊ４，ｌ４に最も低い階調レベルを割り当てることによって実現する。任意の隣接する４画素は、「１」の数字が付された画素と、「２」の数字が付された画素と、「３」の数字が付された画素と、「４」の数字が付された画素とで構成される。つまり、同じ数字が付された画素は、空間的に分散して配置されている。
【００８４】
なお、１つの平均輝度をｎ１，ｎ２，ｎ３，ｎ４の階調レベルによる輝度の平均値で実現する場合、例えば、画素ａ１，ｃ１，ｉ１，ｋ１の階調レベルがｎ１に対応し、画素ｆ２，ｈ２，ｎ２，ｐ２の階調レベルがｎ２に対応し、画素ｅ３，ｇ３，ｍ３，ｏ３の階調レベルがｎ３に対応し、画素ｂ４，ｄ４，ｊ４，ｌ４の階調レベルがｎ４に対応する。また、ＭＰＵ４０は、図１２に示されたような方式によって平均輝度を実現することができる。
【００８５】
以上に説明したように、時間平均または空間平均によって平均輝度が実現されるが、時間平均と空間平均とを併用してもよい。
【００８６】
図１３は、階調レベルｎが０〜２５５である場合の（ｎ１，ｎ２）（または、（ｎ１’，ｎ２’））の具体的な選択の仕方を示す説明図である。ここでは、広視野角処理を行うように設定されている場合を例にする。ＭＰＵ４０は、図１３（Ｂ）に示すデータテーブルが格納されたＲＯＭからデータを読み出すことが可能なように構成されている。図１３（Ｂ）に示すデータテーブルには、０〜２５５のそれぞれの階調レベルに応じた（ｎ１，ｎ２）の組み合わせの組み合わせであって、視角が０゜の場合には階調レベルｎとして視認されるが、斜め視点では、階調レベルｎの輝度とは異なる輝度で視認される（ｎ１，ｎ２）の組み合わせのデータが設定されている。なお、図１３（Ｂ）に示す各々の（ｎ１，ｎ２）のデータは、各々の階調レベルｎにおいて、図７における（広視野角処理）の曲線上の輝度を実現するデータである。
【００８７】
図１３（Ｂ）に示すデータテーブルと同様のデータテーブルであって、狭視野角処理を行うように設定されている場合に用いられる（ｎ１’，ｎ２’）の組み合わせのデータが設定されているデータテーブルもＲＯＭにあらかじめ格納されている。そのデータテーブルにおける各々の（ｎ１’，ｎ２’）のデータは、各々の階調レベルｎにおいて、図７における（狭視野角処理）の曲線上の輝度を実現するデータである。
【００８８】
ＭＰＵ４０は、実際には、図１３（Ａ）に示すように、空間平均の例として、表示画面において、ｎ１（または、ｎ１’）を割り当てる画素とｎ２（または、ｎ２’）を割り当てる画素とをあらかじめ決めておく。ｎ１（または、ｎ１’）を割り当てる画素とｎ２（または、ｎ２’）を割り当てる画素とは交互に配置されている。そして、各画素の階調レベルｎに対応する（ｎ１，ｎ２）（または、（ｎ１’，ｎ２’））を、図１３（Ｂ）に示されたデータテーブル（または、狭視野角処理のためのデータテーブル）から選択する。
【００８９】
なお、Ｒ、Ｇ、Ｂのそれぞれを対象にして平均輝度の表示制御を行う場合には、図１３（Ｃ）に示すように、Ｒ，Ｇ，Ｂのそれぞれを仮想的に１画素と捉えるようにして、（ｎ１，ｎ２）（または、（ｎ１’，ｎ２’））のうち高い階調レベルｎ１（または、ｎ１’）と低い階調レベルｎ２（または、ｎ２’）とを配置することが好ましい。
【００９０】
また、上記の実施の形態および実施例では、広視野角処理を行うように設定されている場合には、どのような表示画像を表示させるときにも、あらかじめ用意されている広視野角処理のためのデータテーブル（図１３（Ｂ）参照）から（ｎ１，ｎ２）を選択し、狭視野角処理を行うように設定されている場合には、どのような表示画像を表示させるときにも、あらかじめ用意されている狭視野角処理のためのデータテーブルから（ｎ１’，ｎ２’）を選択する。すなわち、適用されるγ曲線は、表示画像の内容によらず１種類である。しかし、表示画像の内容に応じて、適用するγ曲線を変化させるようにしてもよい。例えば、全体的に暗い画像の場合には、データテーブルを用いずに、元のγ曲線（γ＝２．２の曲線）を用いることが好ましい。
【産業上の利用可能性】
【００９１】
本発明は、ＭＶＡモードなどの表示面を正面から視認したときのγ特性と斜め方向から視認したときのγ特性とが異なっている液晶表示パネルを用いた液晶表示装置に適用可能である。
【図面の簡単な説明】
【００９２】
【図１】ＭＶＡモードの液晶表示パネルにおける各階調レベルの輝度の視角依存性の一例を示す説明図。
【図２】斜め視点では平均値Ａと平均値Ｂとが同じにならないことを説明するための説明図。
【図３】視角が０°の場合に平均輝度が同じであって斜め視点では平均輝度が異なる階調レベルｎ１，ｎ２の集合Ｓｎを示す説明図。
【図４】集合Ｓｎに属するそれぞれの（ｎ１，ｎ２）の組み合わせの平均輝度を示す説明図。
【図５】視角θが０°であるときに階調レベルｎの輝度と平均輝度が同程度になる２つの階調レベルによる輝度の例を示す説明図。
【図６】ＭＶＡモードの液晶表示パネルにおいて、視角が異なるとγ特性が異なることを示す説明図。
【図７】液晶表示装置の表示制御方法において用いる（ｎ１，ｎ２）の組み合わせを示す説明図。
【図８】液晶表示装置の一例をＭＰＵとともに示すブロック図。
【図９】時間平均によって２つの階調レベルによる平均輝度を実現するための方法を説明するための説明図。
【図１０】時間平均によって４つの階調レベルによる平均輝度を実現するための方法を説明するための説明図。
【図１１】空間平均によって２つの階調レベルによる平均輝度を実現するための方法を説明するための説明図。
【図１２】空間平均によって４つの階調レベルによる平均輝度を実現するための方法を説明するための説明図。
【図１３】階調レベルｎが０〜２５５である場合の（ｎ１，ｎ２）の具体的な選択の仕方を示す説明図。
【図１４】ＩＰＳモードの液晶表示パネルおよびＭＶＡモードの液晶表示パネルの視角特性を示す説明図。
【符号の説明】
【００９３】
１０    液晶表示パネル
１１    コントローラ
１２    ソースドライバ
１３    ゲートドライバ
１４    電源回路
４０    ＭＰＵ
１１１  ＲＡＭ
１３１  コモン電圧出力部
【図１】
2008275855.tif 000003
【図２】
2008275855.tif 000004
【図３】
2008275855.tif 000005
【図４】
2008275855.tif 000006
【図５】
2008275855.tif 000007
【図６】
2008275855.tif 000008
【図７】
2008275855.tif 000009
【図８】
2008275855.tif 000010
【図９】
2008275855.tif 000011
【図１０】
2008275855.tif 000012
【図１１】
2008275855.tif 000013
【図１２】
2008275855.tif 000014
【図１３】
2008275855.tif 000015
【図１４】
2008275855.tif 000016